(57)【特許請求の範囲】
【請求項１】
アンテナと、該アンテナを介して送出すべき送信信号を生成する送信部と、該アンテナを介して受信した信号を復調する受信部と、送信時には該送信部と該アンテナとを接続させ、受信時には該受信部と該アンテナとを接続させる送受切り替え部とを備えた、時分割複信方式による無線通信装置であって、
前記送信部は、
前記送信信号を生成する送信信号生成手段と、
前記送信信号生成手段において生成された送信信号を増幅する多段構成の電力増幅手段と、
前記電力増幅手段のそれぞれについてドレイン電圧を制御するためのドレイン電圧制御信号を生成する制御信号生成手段と、
前記ドレイン電圧制御信号にしたがって、時分割複信方式の送信から受信に切り替わるタイミングで、前記多段構成の電力増幅手段のうち少なくとも前記アンテナから最も近い位置に設けられる電力増幅手段については、ドレイン電源をオフに切り替える切り替え手段と、
を備え、
時分割複信方式の送信から受信に切り替わるタイミングでドレイン電源をオフに切り替えた電力増幅手段については、前記アンテナから最も遠い電力増幅手段のドレイン電源が時分割複信方式の受信から送信に切り替わるタイミングでオンに切り替わるよう、該アンテナに近い位置に設けられている電力増幅手段から順にドレイン電源をオンに切り替えてゆく
ことを特徴とする無線通信装置。
【請求項２】
時分割複信方式の受信時においては、前記電力増幅手段がＣ級動作をするゲート電圧が設定される
ことを特徴とする請求項１に記載の無線通信装置。
【請求項３】
無線通信装置に備えられた多段構成の電力増幅器を制御するための電力増幅器制御方法であって、
前記多段構成の電力増幅器それぞれのドレイン電圧を制御するためのドレイン電圧制御信号を生成し、
前記ドレイン電圧制御信号にしたがって、時分割複信方式の送信から受信に切り替わるタイミングで、前記多段構成の電力増幅器のうち少なくとも前記無線通信装置のアンテナから最も近い位置に設けられる電力増幅器については、ドレイン電源をオフに切り替え、
時分割複信方式の送信から受信に切り替わるタイミングでドレイン電源をオフに切り替えた電力増幅器については、前記アンテナから最も遠い電力増幅器のドレイン電源が時分割複信方式の受信から送信に切り替わるタイミングでオンに切り替わるよう、前記アンテナに近い位置に設けられている電力増幅器から順にドレイン電源をオンに切り替えてゆく
処理を備えることを特徴とする電力増幅器制御方法。
【請求項４】
時分割複信方式の受信時においては、前記電力増幅器がＣ級動作をするゲート電圧が設定されるように、前記多段構成の電力増幅器それぞれのゲート電圧を制御するためのゲート電圧制御信号を生成する
処理をさらに備えることを特徴とする請求項３に記載の電力増幅器制御方法。
【発明の詳細な説明】
【技術分野】
【０００１】
本発明は、電力増幅器を制御する技術に関し、特に、時分割複信方式の無線送受信装置において用いられる電力増幅器を制御する技術に関する。
【背景技術】
【０００２】
時分割複信（Time Division Duplex、以下ＴＤＤと略記）方式においては、通信経路を時間軸で分割し、送信と受信とを高速で切り替え、周波数帯域については送信機と受信機との間で共用する。図８（ａ）及び図８（ｂ）に示すように、アンテナの直下に切り替えスイッチやサーキュレータを設置し、送信と受信とを切り替えて通信を行っている。
【０００３】
ＴＤＤ方式によれば、送信と受信とで周波数帯域を共用するため、送受信機内で送信部と受信部との間でアイソレーションが十分に確保されていることが必要となる。アイソレーションが十分でない場合は、送信信号が受信部側にリークし、低雑音増幅器を飽和させる等の問題が生じる。例えば、送受信切り替えスイッチを備えた構成の場合は伝送レートが高速化するにつれて、送受信の切り替え時間が短くなる。そして、送受信の切り替え時間が短くなるに伴い、アイソレーションを確保するのが難しくなる。
【０００４】
アイソレーションの確保のため、送信時には送信部の電力増幅器をオンに、受信部の低雑音増幅器をオフとし、受信時には送信部の電力増幅器をオフに、受信部の低雑音増幅器をオンにすることが望ましい。これは、電力効率を向上させる観点からも必要なことと考えられる。
【０００５】
ここで、電界効果トランジスタによる電力増幅器を仮定する。この場合、電力増幅器については、ドレインに流れる電流が大きいため、ドレインに印加する電圧をスイッチでオフにしても、過渡応答のため、電流値はすぐにはゼロにならない。このため、雑音を含む残留信号が受信側にリークし、受信性能を劣化させる可能性がある。
【０００６】
そこで、かかる問題を解決するための電力増幅器のオン／オフを制御する技術として、例えば、受信回路内の高周波増幅用トランジスタのエミッタ部にエミッタ抵抗とともにスイッチング素子を設け、受信時には能動状態に、送信時には受動状態に駆動することにより、高周波増幅用トランジスタをオン／オフする技術について提供されている（例えば、特許文献１）。
【０００７】
電力増幅器のオン／オフを制御する他の技術として、例えば、送信用の電力増幅器と受信用の電力増幅器とを備え、受信時には制御電圧により送信用の電力増幅器をオフにし、受信用の電力増幅器をオンにする。そして、送信時には制御電圧により受信用の電力増幅器をオフにし、送信用の電力増幅器をオンにする技術について提供されている（例えば、特許文献２）。
【先行技術文献】
【特許文献】
【０００８】
【特許文献１】特開平９−７４３２１号公報
【特許文献２】特開平４−３７３３１７号公報
【発明の概要】
【発明が解決しようとする課題】
【０００９】
上記の特開平９−７４３２１号公報や特開平４−３７３３１７号公報に記載されている方法は、いずれも、ＴＤＤ方式において送信信号が受信部側にリークするのを抑えるために送信部側の電力増幅器のスイッチのオン／オフを切り替えている。しかし、上記のとおり、電力増幅器のドレインを流れる電流が大きいため、スイッチング回路により電力増幅器のオン／オフを高速で切り替えることは容易ではない。
【００１０】
本発明は、時分割複信方式の無線送受信装置において、簡易な方法で電力増幅器の高速でのオン／オフの切り替え制御を実現することにより、送信部側から受信部側への電流のリークを効果的に抑制することにより、電流のリークによる干渉を防止し、また、電力効率を改善することを目的とする。
【課題を解決するための手段】
【００１１】
上記の課題を解決するため、アンテナと、該アンテナを介して送出すべき送信信号を生成する送信部と、該アンテナを介して受信した信号を復調する受信部と、送信時には該送信部と該アンテナとを接続させ、受信時には該受信部と該アンテナとを接続させる送受切り替え部とを備えた、時分割複信方式による無線通信装置であって、前記送信部は、前記送信信号を生成する送信信号生成手段と、前記送信信号生成手段において生成された送信信号を増幅する電力増幅手段と、前記電力増幅手段のドレイン電圧を制御するためのドレイン電圧制御信号及び該電力増幅手段のゲート電圧を制御するためのゲート電圧制御信号を生成する制御信号生成手段と、前記ドレイン電圧制御信号にしたがって、時分割複信方式の受信時においては、前記電力増幅手段のドレイン電源をオフに切り替える切り替え手段と、を備え、前記電力増幅手段は、前記ゲート電圧制御信号にしたがって、時分割複信方式の受信時においては送信時よりも高いゲート電圧が設定される構成とする。
【００１２】
この無線通信装置は、時分割複信方式の受信時においては、送信部の電力増幅手段（電力増幅器）のドレイン電源をオフに切り替えるとともに、ゲート電圧の値を、送信時におけるそれよりも高く設定する。受信時において送信時よりも高い値のゲート電圧値を設定することで、受信時により確実に電力増幅手段をオフに切り替え、送信部側から受信部側への電流のリークを防止しつつ、高速での電力増幅手段のオン／オフの切り替えを実現可能とする。
【００１３】
あるいは、アンテナと、該アンテナを介して送出すべき送信信号を生成する送信部と、該アンテナを介して受信した信号を復調する受信部と、送信時には該送信部と該アンテナとを接続させ、受信時には該受信部と該アンテナとを接続させる送受切り替え部とを備えた、時分割複信方式による無線通信装置であって、前記送信部は、前記送信信号を生成する送信信号生成手段と、前記送信信号生成手段において生成された送信信号を増幅する多段構成の電力増幅手段と、前記電力増幅手段のそれぞれについてドレイン電圧を制御するためのドレイン電圧制御信号を生成する制御信号生成手段と、前記ドレイン電圧制御信号にしたがって、時分割複信方式の受信時においては、前記多段構成の電力増幅手段のうち少なくとも前記アンテナから最も近い位置に設けられる電力増幅手段については、ドレイン電源をオフに切り替える切り替え手段と、を備え、時分割複信方式の受信時にドレイン電源をオフに切り替えた電力増幅手段については、前記アンテナから最も遠い電力増幅手段のドレイン電源が時分割複信方式の受信から送信に切り替わるタイミングでオンに切り替わるよう、該アンテナに近い位置に設けられている電力増幅手段から順にドレイン電源をオンに切り替えてゆく構成とする。
【００１４】
この無線通信装置は、多段構成の電力増幅手段のうち少なくともアンテナに最も近い電力増幅手段については、時分割複信方式の受信時にはドレイン電源をオフに切り替えることにより、送信部側から受信部側へのリークを防止する。更に、受信時にオフに切り替えたドレイン電源をオンに切り替えるときは、アンテナから最も遠い位置の電力増幅手段から順にオンに切り替えてゆき、アンテナに最も近い位置の電力増幅手段のドレイン電源をオンに切り替えるタイミングを、受信から送信に切り替わるタイミングと一致させる。電力増幅手段ごとの容量に応じてオンに切り替えるタイミングを変えることにより電力増幅手段ごとの立ち上がりのタイミングを一致させつつ、アンテナに最も近い電力増幅手段については送受切り替えのタイミングでオンに切り替えることで、送信部側から受信部側への電流のリークを防止し、高速での電力増幅手段のオン／オフの切り替えを実現可能とする。
【００１５】
なお、前記制御信号生成手段は、前記電力増幅手段のゲート電圧を制御するためのゲート電圧制御信号を更に生成し、前記電力増幅手段は、前記ゲート電圧制御信号にしたがって、時分割複信方式の受信時においては送信時よりも高いゲート電圧が設定される構成としてもよい。受信時に送信時よりも高いゲート電圧値を設定することで、より確実に電力増幅手段をオフに切り替え、これにより、高速での電力増幅手段のオン／オフの切り替えを実現できる。
【発明の効果】
【００１６】
開示の無線通信装置によれば、高速での電力増幅手段のオン／オフの切り替えが可能となり、送信部側から受信部側への電流のリークを効果的に抑制することができる。受信部側への電流のリークを抑制することにより、電流のリークによる干渉を防止し、また、電力効率の改善に資する。
【図面の簡単な説明】
【００１７】
【図１】第１の実施形態に係る無線送受信機の構成図である。
【図２】送受信タイムチャート及び電力増幅器のドレイン電圧、ゲート電圧の関係を示す図である。
【図３】電力増幅器のＡ級動作を説明する図である。
【図４】電力増幅器のＡＢ級動作を説明する図である。
【図５】電力増幅器のＢ級動作及びＣ級動作を説明する図である。
【図６】第２の実施形態に係る無線送受信機の構成図である。
【図７】送受信タイムチャート及び電力増幅器のドレイン電圧の関係を示す図である。
【図８】従来の時分割複信方式における送受切り替え方法を説明する図である。
【発明を実施するための形態】
【００１８】
以下、本発明の好適な実施の形態について、図面を参照して詳細に説明する。
図１は、第１の実施形態に係る無線送受信機の構成図である。図１に示す無線送受信機１は、ＴＤＤ方式の端末装置に備えられる無線送受信機であって、アンテナ１１、送受切り替えスイッチ部１２、送信部２及び受信部３を含んで構成される。
【００１９】
送信部２は、送信信号生成部１３、ＤＡ変換部１４、変調部１５、電力増幅器１６及び電力増幅器制御部４から構成される。
送信部２の構成のうち、アンテナ１１は、無線送受信機１から送信される基地局や通信相手の端末装置宛の信号を、無線ネットワークに送出し、また、基地局や通信相手の端末装置から送信された信号を受信する。
【００２０】
送受切り替えスイッチ部１２は、送受信のタイムチャートにしたがって、アンテナ１１の接続先を送信部２及び受信部３に切り替える。具体的には、スイッチ部１２としては、送受信切り替えスイッチやサーキュレータが用いられる。
【００２１】
送信信号生成部１３は、端末装置から送出すべき上り送信信号を生成する。ＤＡ変換部１４は、送信信号生成部１３において生成された送信信号をアナログ信号に変換する。変調部１５は、ＤＡ変換部１４から入力された信号に応じて変調処理を行い、変調波を生成する。電力増幅器１６は、電界効果トランジスタを用いた電力増幅器から構成され、変調部１５において生成された変調波を増幅させる。増幅された変調波は、アンテナ１１を介して送出される。
【００２２】
電力増幅器制御部４は、電源部１７、スイッチ部１８、制御信号生成部１９及び制御信号ＤＡ変換部２０を含んで構成され、送信部２の電力増幅器１６の制御を行う。
電源部１７は、電力増幅器１６のドレイン電源に電力を供給する。スイッチ部１８は、電源部１７から電力増幅器１６に供給される電力のオン／オフを切り替える。制御信号生成部１９は、電力増幅器１６を制御するための制御信号を生成する。制御信号ＤＡ変換部２０は、制御信号生成部１９から入力された信号をアナログ信号に変換し、スイッチ部１８及び電力増幅器１６に与える。
【００２３】
受信部３は、低雑音増幅器２１、復調部２２、ＡＤ変換部２３及び受信信号処理部２４を含んで構成される。
低雑音増幅器２１は、アンテナ１１を介して受信した信号の増幅を行う。復調部２２は、低雑音増幅器２１において増幅された信号について復調処理を行い、被変調波から情報信号を取り出す。ＡＤ変換部２３は、復調部２２において取り出した情報信号をデジタル信号に変換する。受信信号処理部２４は、ＡＤ変換部２３から入力されたデジタル信号から所望のデータを取り出して、図１においては不図示の上位の制御回路等に与える等の処理を行う。
【００２４】
電力増幅器制御部４は、送信信号生成部１３における送信信号生成処理と同期させて制御信号を生成し、電力増幅器１６のドレイン電圧値Ｖｄ及びゲート電圧値Ｖｇを、送受信タイムチャートにしたがって制御する。次に、図２を参照して、電力増幅器制御部４において電力増幅器１６を制御する具体的な方法について説明する。
【００２５】
図２は、送受信タイムチャート及び電力増幅器１６のドレイン電圧、ゲート電圧の関係を示す図である。図の右方向に時間軸をとり、図２においては、「Ｔｘ」は送信時間であり、「Ｒｘ」は受信時間である。
【００２６】
送信時間内、すなわち送信信号が出力されている期間内においては、ドレイン電源をオンにする。そして、制御信号に含まれるドレイン電圧値Ｖｄに設定する。このとき、ゲート電圧値Ｖｇについては、ＶＧＡに設定する。受信時間内の送信信号の出力がない期間については、電力増幅器１６をオフに切り替えるため、ドレイン電圧の値を「０」に設定するとともに、ゲート電圧値Ｖｇを、送信時間におけるゲート電圧値ＶＧＡよりも高い値ＶＧＣに設定する。
【００２７】
ここで、送信時間Ｔｘゲート電圧値ＶＧＡは、電力増幅器１６がＡ級動作するときのゲート電圧値であり、受信時間Ｒｘにおけるゲート電圧値ＶＧＣは、電力増幅器１６がＣ級動作するときのゲート電圧値である。
【００２８】
図３から図５は、ゲートバイアスを制御したときの電力増幅器１６の動作を説明する図である。これらの図面を参照して、バイアス方式による電力増幅器１６の動作について説明する。
【００２９】
図３は、電力増幅器１６のＡ級動作を説明する図である。このうち、上段については、左から順に、ドレイン電流とゲート電圧との関係、ドレイン電流とドレイン電圧との関係、ドレイン電流の流通角を説明する図である。図３の下段には、それぞれ上段に示すゲート電圧及びドレイン電圧の時間変化を示す。
【００３０】
電力増幅器１６がＡ級動作する場合のゲート電圧Ｖｇは、図３上段の中図に示すように、ドレイン電流は最大値「Ｉｍａｘ」、最小値「０」の正弦波状となるように設定される。このとき、図３上段の右図に示すように、ドレイン電流の流通角は３６０°（２π）である。すなわち、電力増幅器１６に常に電流が流れている状態であり、入力された送信信号の全てを増幅する。
【００３１】
図４は、電力増幅器１６のＡＢ級動作を説明する図である。図３と同様に、上段については左から順に、ドレイン電流とゲート電圧との関係、ドレイン電流とドレイン電圧との関係、ドレイン電流の流通角を説明する図である。図４の下段には、それぞれ上段に示すゲート電圧及びドレイン電圧の時間変化を示す。
【００３２】
上記のＡ級動作をする電力増幅器１６について、ゲートバイアスを深くすることにより得られる、流通角が３６０°（２π）未満であるときの状態を、ＡＢ級動作という。
図５（ａ）及び図５（ｂ）は、それぞれＢ級動作及びＣ級動作をする電力増幅器１６のドレイン電流波形の例を示す図である。図４に示すＡＢ級動作をする電力増幅器１６について更にゲートバイアスを変化させて深くしてゆき、流通角が１８０°（π）となるときの状態が、図５（ａ）に示すＢ級動作である。流通角が１８０°未満のときの状態が、図５（ｂ）に示すＣ級動作である。
【００３３】
図５（ｂ）に示すように、Ｃ級動作をする電力増幅器１６は、流通角のほとんどの部分で電流が流れていない。すなわち、Ｃ級動作をするようにゲート電圧ＶＧＣを設定することで、電力増幅器１６を迅速にオフ状態に切り替えることができるようになる。
【００３４】
以上説明したように、本実施形態に係る無線送受信機１によれば、送信部２の電力増幅器１６については、ＴＤＤ方式の受信時にはドレイン電源をオフに切り替えるとともに、ゲート電圧をＣ級動作の電圧値ＶＧＣに設定する。送信時のＡ級動作のゲート電圧値ＶＧＡよりも高い値を受信時に設定することで、アンテナ１１を送信部２側から受信部３側に切り替えたときに、電力増幅器１６は迅速にオフ状態となり、過渡応答によるドレイン電流が受信部３側にリークすることを防止することができる。電力増幅器１６のドレイン電流が受信部３側にリークすることを防止することにより、電流のリークによる干渉を防止し、引いては、電力効率の改善に資する。
【００３５】
なお、上記の実施形態のとおり、受信時のゲート電圧としてＣ級動作のゲート電圧を設定するのが好ましいが、これには限らない。例えばＤ級動作のゲート電圧を設定することとしてもよい。
【００３６】
図６は、第２の実施形態に係る無線送受信機の構成図である。上記の第１の実施形態に係る無線送受信機１の構成と比較して、異なる点を中心に説明する。
本実施形態に係る無線送受信機１においては、電力増幅器１６が多段構成（図６においては３段構成）を備えている。そして、スイッチ部１８が各電力増幅器１６のオン／オフを切り替え可能に設けられている。ここでは、送信信号生成部１３に近い方の電力増幅器１６から順に、電力増幅器１６Ａ、１６Ｂ及び１６Ｃとする。電力増幅器１６Ａ、１６Ｂ及び１６Ｃに対応するスイッチ部１８を、それぞれスイッチ１８Ａ、１８Ｂ及び１８Ｃとする。
【００３７】
制御信号生成部１９は、電力増幅器１６Ａ、１６Ｂ及び１６Ｃをそれぞれ制御するための制御信号を生成する。具体的には、各電力増幅器１６Ａ、１６Ｂ及び１６Ｃのドレイン電源のオン／オフを切り替えるための制御信号及び送信時と受信時とで異なるゲート電圧値を設定するための制御信号を生成する。
【００３８】
本実施形態においては、送信時にドレイン電源をオンに切り替えるタイミングが電力増幅器ごとに設定されている点で、上記の実施形態と異なる。図７を参照して具体的に説明する。
【００３９】
図７は、送受信タイムチャート及び電力増幅器１６Ａ、１６Ｂ及び１６Ｃのドレイン電圧の関係を示す図である。図２と同様に、図の右方向に時間軸をとり、送信時間Ｔｘ及び受信時間はＲｘを示す。
【００４０】
図７においては、３台の電力増幅器１６のうち、アンテナ１１に最も近い電力増幅器１６Ｃからドレイン電源をオンに切り替えてゆき、最もアンテナ１１から遠い電力増幅器１６Ａのドレイン電源が送信時間Ｔｘの開始のタイミングにはオンに切り替わるように、順次切り替えを行ってゆく。
【００４１】
一般に、送信部２においては、送信アンテナ付近の出力電力が最も大きくなる。このため、最終段の電力増幅器１６すなわち電力増幅器１６Ｃの容量が最も大きくなる。すなわち、電力増幅器１６Ｃは他の電力増幅器１６Ａ及び１６Ｂと比較してドレイン電流量が大きい。このため、電力増幅器１６Ｃについてオン／オフの切り替えを行ったとき、その立ち上がりと立ち下がりの時間に差が生じることとなる。
【００４２】
しかし、本実施形態においては、上記のとおり、多段構成の電力増幅器１６についてドレイン電源をオンに切り替えるタイミングをずらして容量の比較的大きい電力増幅器１６Ｃ及び１６Ｂ、すなわち立ち上がりの遅い電力増幅器については送受切り替えタイミングよりも前にオンに切り替えておく。最もアンテナ１１から遠い電力増幅器１６Ａ（のドレイン電源）については、送受切り替えタイミングでオンに切り替える。電力増幅器１６Ｃ及び１６Ｂの立ち上がりタイミングを調整することで、多段構成の電力増幅器１６の立ち上がりのタイミングを一致させることができる。
【００４３】
電力増幅器１６Ｂ及び１６Ｃについては受信時間Ｒｘの間からオン状態となっていることになるが、電力増幅器１６Ａについてもオン状態にならなければ送信信号がこれらの電力増幅器に伝達されることはない。このため、受信部３側に与える影響は小さく抑えられる。
【００４４】
他方、送信時間Ｔｘから受信時間Ｒｘに切り替わるときは、送受切り替えのタイミングで全ての電力増幅器１６のドレイン電源をオフに切り替える。比較的容量の大きい電力増幅器１６Ｂや電力増幅器１６Ｃについては、過渡応答が残るため、できるだけ早急にオフにする必要がある。しかし、多段構成の電力増幅器１６のうち１台の電力増幅器、図７の例では電力増幅器１６Ａについてオフ状態になれば、高周波信号自体は出力されない。このため、電力増幅器１６Ｂや電力増幅器１６Ｃの受信部３側に与える影響は小さく抑えられる。
【００４５】
ところで、電力の効率化及び受信部３側に与える影響を最小限に抑える、という観点からすると、図７に示す例のように、全ての電力増幅器１６を受信時間Ｒｘにおいてはオフに切り替えるのが好ましい。しかし、ドレイン電源のオン／オフの切り替え方法については、上記の方法に限らない。
【００４６】
ここで、アンテナ１１に最も近い電力増幅器１６Ｃについては受信時間Ｒｘにオン状態のままにしておくと、残留信号が受信部３側において増幅され、受信部３に影響を及ぼすおそれがある。このため、電力増幅器１６Ｃのドレイン電源については送受切り替えタイミングでオフにする必要がある。そこで、例えば、他の電力増幅器１６Ａ及び１６Ｂについては、一方あるいは双方の電力増幅器のドレイン電源をオンのままにしておく構成とすることができる。
【００４７】
以上のことから、各電力増幅器１６Ａ、１６Ｂ及び１６Ｃのドレイン電源の制御の組み合わせは、以下のとおりである。
（１）全ての電力増幅器についてドレイン電源のオン／オフを制御する。
（２）電力増幅器１６Ｃ、１６Ｂについてはドレイン電源をオン／オフ制御をし、電力増幅器１６Ａのドレイン電源については常にオン状態とする。
（３）電力増幅器１６Ｃ、１６Ａについてはドレイン電源をオン／オフ制御をし、電力増幅器１６Ｂのドレイン電源については常にオン状態とする。
（４）電力増幅器１６Ｃについてのみドレイン電源をオン／オフ制御をし、電力増幅器１６Ａ及び１６Ｂについては常にオン状態とする。
【００４８】
多段構成の電力増幅器１６の一部についてオン／オフを切り替える構成とすることで、制御線やＤＡ変換部１４からの出力数を削減することができ、電力増幅器制御部４の構成を簡素化することが可能となる。
【００４９】
なお、図７においては送受信タイムチャート及びドレイン電圧のみを示し、ゲート電圧については記載していないが、上記の第１の実施形態に係る電力増幅器の制御方法と同様に、ドレイン電源のオン／オフの切り替えを行う電力増幅器１６について、送信時にはＡ級動作のゲート電圧値ＶＧＡに、受信時にはＣ級動作のゲート電圧値ＶＧＣ（＞ＶＧＡ）に切り替える構成としてもよい。送信時と受信時とで異なるゲート電圧を設定する場合は、全ての電力増幅器１６について等しいゲート電圧値ＶＧＡ及びＶＧＣを設定する構成としてもよいし、電力増幅器１６ごとに異なる値を設定する構成としてもよい。これらのうちいずれの構成をとる場合であっても、上記の第１の実施形態に係る構成の無線送受信機において電力増幅器の制御方法を実施した場合と同様の効果を得ることができる。
【００５０】
また、上記においては電界効果トランジスタを用いた電力増幅器１６を仮定して説明しているが、これには限らない。例えばバイポーラトランジスタを用いた電力増幅器についても、上記の第１及び第２の実施形態に係る電力増幅器の制御方法を採用することにより、同様の効果を得ることができる。
【００５１】
以上説明したように、上記の実施形態に係る無線送受信機１によれば、送信部２に電力増幅器制御部４を備え、電力増幅器制御部４は、電力増幅器１６のゲート電圧及びドレイン電圧の制御を行う。ドレイン電圧については、送受切り替えタイミングでオン／オフの切り替えを行うことで、受信時には電力増幅器１６をオフ状態とする。更に、ゲート電圧については、無線送受信機１の送受切り替えタイミングに応じて異なる電圧値を設定する。受信時にはＣ級動作のゲート電圧値を設定することにより、流通角のほとんどの部分で電流が流れないこととなり、電力増幅器１６を高速にオフに切り替えることが可能となる。これにより、送受を切り替えたときに、送信部２側から受信部３側への電流のリークを抑制することに資する。受信部３側への電流のリークを抑制することにより、電流のリークによる干渉を防止し、また、電力効率を改善することができる。
【００５２】
更には、送受信切り替えタイミングで電力増幅器１６のオン／オフ切り替え動作が実現できると、アンテナ１１直下のスイッチ部１２をホットスイッチさせずに済む、すなわち、高周波信号を入力させながらスイッチ部１２のオン／オフ切り替え動作を行わずに済む、という効果が得られる。スイッチ部１２に例えばＲＦ−ＭＥＭＳ（Radio Frequency-Micro Electro Mechanical Systems）スイッチを用いた場合に特にこのような効果が期待できる。
【００５３】
（付記１）
アンテナと、該アンテナを介して送出すべき送信信号を生成する送信部と、該アンテナを介して受信した信号を復調する受信部と、送信時には該送信部と該アンテナとを接続させ、受信時には該受信部と該アンテナとを接続させる送受切り替え部とを備えた、時分割複信方式による無線通信装置であって、
前記送信部は、
前記送信信号を生成する送信信号生成手段と、
前記送信信号生成手段において生成された送信信号を増幅する電力増幅手段と、
前記電力増幅手段のドレイン電圧を制御するためのドレイン電圧制御信号及び該電力増幅手段のゲート電圧を制御するためのゲート電圧制御信号を生成する制御信号生成手段と、
前記ドレイン電圧制御信号にしたがって、時分割複信方式の受信時においては、前記電力増幅手段のドレイン電源をオフに切り替える切り替え手段と、
を備え、
前記電力増幅手段は、前記ゲート電圧制御信号にしたがって、時分割複信方式の受信時においては送信時よりも高いゲート電圧が設定される
ことを特徴とする無線通信装置。
（付記２）
アンテナと、該アンテナを介して送出すべき送信信号を生成する送信部と、該アンテナを介して受信した信号を復調する受信部と、送信時には該送信部と該アンテナとを接続させ、受信時には該受信部と該アンテナとを接続させる送受切り替え部とを備えた、時分割複信方式による無線通信装置であって、
前記送信部は、
前記送信信号を生成する送信信号生成手段と、
前記送信信号生成手段において生成された送信信号を増幅する多段構成の電力増幅手段と、
前記電力増幅手段のそれぞれについてドレイン電圧を制御するためのドレイン電圧制御信号を生成する制御信号生成手段と、
前記ドレイン電圧制御信号にしたがって、時分割複信方式の受信時においては、前記多段構成の電力増幅手段のうち少なくとも前記アンテナから最も近い位置に設けられる電力増幅手段については、ドレイン電源をオフに切り替える切り替え手段と、
を備え、
時分割複信方式の受信時にドレイン電源をオフに切り替えた電力増幅手段については、前記アンテナから最も遠い電力増幅手段のドレイン電源が時分割複信方式の受信から送信に切り替わるタイミングでオンに切り替わるよう、該アンテナに近い位置に設けられている電力増幅手段から順にドレイン電源をオンに切り替えてゆく
ことを特徴とする無線通信装置。
（付記３）
前記制御信号生成手段は、前記電力増幅手段のゲート電圧を制御するためのゲート電圧制御信号を更に生成し、
前記電力増幅手段は、前記ゲート電圧制御信号にしたがって、時分割複信方式の受信時においては送信時よりも高いゲート電圧が設定される
ことを特徴とする付記２記載の無線通信装置。
（付記４）
時分割複信方式の受信時においては、前記電力増幅手段がＣ級動作をするゲート電圧が設定される
ことを特徴とする付記１または３のいずれか１つに記載の無線通信装置。
（付記５）
電力増幅器を制御するための電力増幅器制御方法であって、
前記電力増幅器のドレイン電圧を制御するためのドレイン電圧制御信号及び該電力増幅器のゲート電圧を制御するためのゲート電圧制御信号を生成し、
前記ドレイン電圧制御信号にしたがって、時分割複信方式の受信時においては前記電力増幅器のドレイン電源オフに切り替えるとともに、前記ゲート電圧制御信号にしたがって、時分割複信方式の受信時においては送信時よりも高いゲート電圧を設定する
処理を備えたことを特徴とする電力増幅器制御方法。
（付記６）
電力増幅器を制御するための電力増幅器制御装置であって、
前記電力増幅器のドレイン電圧を制御するためのドレイン電圧制御信号及び該電力増幅器のゲート電圧を制御するためのゲート電圧制御信号を生成する制御信号生成手段と、
前記ドレイン電圧制御信号にしたがって、時分割複信方式の受信時においては前記電力増幅器のドレイン電源オフに切り替える切り替え手段と、
を備え、
前記電力増幅器は、前記ゲート電圧制御信号にしたがって、時分割複信方式の受信時においては送信時よりも高いゲート電圧が設定される
ことを特徴とする電力増幅器制御装置。
【符号の説明】
【００５４】
１      無線送受信機
２      送信部
３      受信部
４      電力増幅器制御部
１１    アンテナ
１２    送受切り替えスイッチ部
１３    送信信号生成部
１４    ＤＡ変換部
１５    変調部
１６、１６Ａ、１６Ｂ、１６Ｃ  電力増幅器
１７    電源部
１８、１８Ａ、１８Ｂ、１８Ｃ  スイッチ部
１９    制御信号生成部
２０    制御信号ＤＡ変換部
２１    低雑音増幅器
２２    復調部
２３    ＡＤ変換部
２４    受信信号処理部
【図１】
0005282831.tif 000002
【図２】
0005282831.tif 000003
【図３】
0005282831.tif 000004
【図４】
0005282831.tif 000005
【図５】
0005282831.tif 000006
【図６】
0005282831.tif 000007
【図７】
0005282831.tif 000008
【図８】
0005282831.tif 000009